(57)【要約】【課題】部材数の増加及びそれに伴うコスト増加を生じることなく、照明装置の配光を広げて、少ない照明装置数により照明空間内を均整に照明し得る照明装置及び照明システムを提供する。【解決手段】照明装置は、ＬＥＤモジュール２２と、ＬＥＤモジュール２２の光を入光端面から内部に結合し、伝搬した後、外部へ取り出す光路変換手段を備えた導光部材２３と、導光部材２３の裏面に設けられた反射シート２４とを含む光源ユニット２０Ａを備える。ＬＥＤモジュール２２は、導光部材２３の少なくとも一つの入光端面側に設けられている。反射シート２４は、導光部材２３から出射された光の拡散を抑制する拡散抑制部材からなっている。【選択図】図１
2015026534.tif 000002
【特許請求の範囲】
【請求項１】
光源と、上記光源の光を入光端面から内部に結合し、伝搬した後、外部へ取り出す光路変換手段を備えた導光部材と、上記導光部材の裏面に設けられた反射シートとを含む光源ユニットを備えた照明装置であって、
上記光源は、導光部材の少なくとも一つの入光端面側に設けられていると共に、
上記反射シートは、導光部材から出射された光の拡散を抑制する拡散抑制部材からなっていることを特徴とする照明装置。
【請求項２】
前記光源ユニットは、導光部材の表面側に透光パネルを備えていると共に、上記透光パネルは、導光部材から出射された光の拡散を抑制する拡散抑制部材からなっていることを特徴とする請求項１記載の照明装置。
【請求項３】
前記光源の光を前記導光部材の内部に伝搬する方向が互いに正反対の方向となるように配置された少なくとも一対の光源ユニットが設けられていることを特徴とする請求項１又は２記載の照明装置。
【請求項４】
前記光源は、発光ダイオードからなっていることを特徴とする請求項１、２又は３記載の照明装置。
【請求項５】
請求項１〜４のいずれか１項に記載の照明装置を複数備えた照明システムであって、
上記照明装置は、天井の縦横に配列されており、
上記照明装置における光源ユニットの導光部材の側面に設けられた光源からの光の入射方向と平行な方向に配列された照明装置のピッチｄ１と、
上記照明装置における光源ユニットの導光部材の側面に設けられた光源からの光の入射方向と垂直な方向に配列された照明装置のピッチｄ２とが、
ｄ１＞ｄ２
の関係にあることを特徴とする照明システム。
【発明の詳細な説明】
【技術分野】
【０００１】
本発明は、配光を拡げることができる照明装置及び照明システムに関するものである。
【背景技術】
【０００２】
近年、複雑化かつ多様化する高層ビルやインテリジェントビル等では、省施工性、快適性、経済性、安全性、或いはレイアウトの自由度といった観点から、システム天井が採用されている。このシステム天井は、天井に金属製のＴバー（骨組み）を格子状に施設し、施設したＴバーの上に天井仕上げ材を載せて施工するものである。
【０００３】
このようなシステム天井に設置されるシステム天井用照明装置としては、様々なものが開発、製品化されている。例えば、ＬＥＤパネルや有機ＥＬパネル等の光源パネルを用いて、天井バー間の升目を塞ぐ天井ボードと光源パネルとを同等の大きさとすることにより、均整度が高く、天井ボードと光源パネルとを相互に移設するだけの容易な作業で照明レイアウト変更を可能とするものとなっている。
【０００４】
具体的には、例えば特許文献１に開示されたシステム天井用照明装置１００は、図１４に示すように、略正方形の升目を形成するように格子状に配置された天井バー１１０を備え、天井バー１１０は、上部に天井バー頭部１１１、下部に天井バー頭部１１１よりも幅広い天井バー裾部１１２、及び天井バー頭部１１１と天井バー裾部１１２との間を連結する天井バー首部１１３を有している。このシステム天井用照明装置１００は、天井バー裾部１１２に載せられ天井バー１１０の升目を塞ぐ底面が略正方形の例えばＬＥＤパネル又は有機ＥＬパネルからなる光源パネル１２０を備えている。
【０００５】
そして、上記光源パネル１２０は、図１４に示すように、アルミニウム製等の放熱性に優れた金属製からなる放熱板としての機能を有するＬＥＤベース１２１と、ＬＥＤベース１２１にビス等で固定され、光源としてのＬＥＤチップ１２２ａが基板１２２ｂに複数実装されたＬＥＤモジュール１２２と、ＬＥＤチップ１２２ａの実装位置に合わせてＬＥＤチップ１２２ａを挿通する図示しない挿通孔を有し、ＬＥＤチップ１２２ａから発せられる光を反射する反射シート１２３と、ＬＥＤチップ１２２ａからの光を透過する透光板としての光透過パネル１２４等を備えている。
【０００６】
また、このようなシステム天井では、照明設備とそれ以外のスプリンクラー、空調、スピーカー、非常用照明器具等の各種設備とを一体化してコンパクトにレイアウトする要望があり、照明器具の一部に設けた設備プレートに各種設備を設置することができる照明装置も開発されている。例えば、空調機器を内蔵可能な照明装置では、室内の空気を取り入れる流入口と、取り入れた空気を天井裏等に排気するための流出口を備えている。
【０００７】
ところで、この種のシステム天井に使用される照明装置においては、配光を広げることが要求される。
【０００８】
すなわち、上記システム天井用照明装置１００では、ＬＥＤチップ１２２ａからの光は光透過パネル１２４を透過するだけで照明灯具外部に取り出す。このため、光透過パネル１２４の拡散性を高くすることによって、光を拡げて均一に照明する。しかし、光透過パネル１２４の拡散を高めていっても、配光分布はランバート分布以上に拡げることはできない。
【０００９】
そこで、配光を広げるために、レンズやプリズムシート等の光学素子を設けた特許文献２に開示された照明装置が知られている。
【００１０】
上記特許文献２に開示された照明装置２００は、図１１の（ａ）（ｂ）に示すように、点状光源からなる光源ユニット２０１と、該光源ユニット２０１からの出射光が入射する入射面２１１と、該入射面２１１から入射した光が出射する出射面２１２とを含む導光板２１０と、該導光板２１０の出射面２１２からの出射光を屈折させるプリズム２３１が複数配列されたプリズム体２３０とを含み、該プリズム体２３０は、導光板２１０の出射面２１２の全体のうちの、一部の出射光を屈折させる位置に設けられている。
【００１１】
これにより、図１１（ｃ）に示すように、プリズム体２３０に屈折された出射光Ｌ１の配光分布と、導光板２１０の出射面２１２のプリズム体２３０が設けられていない位置から出射された出射光Ｌ０の配光分布とを合わせて、必要な広配光を実現することができるものとなっている。
【先行技術文献】
【特許文献】
【００１２】
【特許文献１】特開２００８−２８２７８２号公報（２００８年１１月２０日公開）
【特許文献２】特開２０１２−１３４０３５号公報（２０１２年７月１２日公開）
【発明の概要】
【発明が解決しようとする課題】
【００１３】
しかしながら、上記従来の特許文献２に開示された照明装置２００では、レンズやプリズムシート等の光学素子を設けて配光を広げているが、部材数の増加及びそれに伴うコスト増加を生じるという問題を有している。
【００１４】
本発明は、上記従来の問題点に鑑みなされたものであって、その目的は、部材数の増加及びそれに伴うコスト増加を生じることなく、照明装置の配光を広げて、少ない照明装置数により照明空間内を均整に照明し得る照明装置及び照明システムを提供することにある。
【課題を解決するための手段】
【００１５】
本発明における一態様の照明装置は、上記の課題を解決するために、光源と、上記光源の光を入光端面から内部に結合し、伝搬した後、外部へ取り出す光路変換手段を備えた導光部材と、上記導光部材の裏面に設けられた反射シートとを含む光源ユニットを備えた照明装置であって、上記光源は、導光部材の少なくとも一つの入光端面側に設けられていると共に、上記反射シートは、導光部材から出射された光の拡散を抑制する拡散抑制部材からなっていることを特徴としている。
【発明の効果】
【００１６】
本発明における一態様の照明装置によれば、部材数の増加及びそれに伴うコスト増加を生じることなく、照明装置の配光を広げて、少ない照明装置数により照明空間内を均整に照明し得る照明装置及び照明システムを提供するという効果を奏する。
【図面の簡単な説明】
【００１７】
【図１】（ａ）は本発明の実施形態１における照明装置の構成を示す斜視図であり、（ｂ）は上記照明装置からの出射光を示す断面図である。
【図２】上記照明装置及び照明システムの構成を示す斜視図である。
【図３】上記照明装置の構成を示す分解斜視図である。
【図４】（ａ）は上記照明装置の本体フレームを上側から見た斜視図であり、（ｂ）は上記照明装置の本体フレームを下側から見た斜視図である。
【図５】上記照明装置の本体フレームにおける空気の流通経路を示す断面図である。
【図６】（ａ）は上記照明装置の光源ユニットを上側から見た斜視図であり、（ｂ）は、上記光源ユニットを下側から見た斜視図である。
【図７】上記光源ユニットの構成を示す断面図である。
【図８】上記照明装置における配光分布を示す分布図である。
【図９】（ａ）は本発明の実施形態２における照明装置の光源ユニットの構成を示す斜視図であり、（ｂ）は上記照明装置からの出射光を示す断面図である。
【図１０】本発明の実施形態３における照明装置の構成を示す底面図である。
【図１１】本発明の実施形態４における照明装置の構成を示す底面図である。
【図１２】（ａ）は本発明の実施形態５における照明システムの照明装置の配置を示す底面図であり、（ｂ）は従来の照明システムの照明装置の配置を示す底面図である。
【図１３】（ａ）は従来の照明システム及び照明装置の構成を示す斜視図であり、（ｂ）は上記照明システム及び照明装置の構成を示す断面図である。
【図１４】上記照明装置の構成を示す断面図である。
【図１５】（ａ）は従来における他の照明装置の構成を示す断面図であり、（ｂ）は上記照明装置の構成を示す底面図であり、（ｃ）は上記照明装置の出射光路を示す断面図である。
【発明を実施するための形態】
【００１８】
〔実施の形態１〕
本発明の一実施形態について図１〜図８に基づいて説明すれば、以下のとおりである。
【００１９】
本実施の形態の照明装置及びそれを備えた照明システムの構成について、図２〜図５に基づいて説明する。図２は上記照明装置及び照明システムの構成を示す斜視図である。図３は本実施の形態の照明装置の構成を示す分解斜視図である。図４の（ａ）は上記照明装置の本体フレームを上側から見た斜視図であり、図４の（ｂ）は上記照明装置の本体フレームを下側から見た斜視図である。図５は、上記照明装置の本体フレームにおける空気の流通経路を示す断面図である。
【００２０】
本実施の形態の照明装置１０Ａを備えた照明システム１は、図２に示すように、天井において格子状に縦横に配設され、吊り下げボルト２にて懸架された金属製のいわゆるＴバーと称される断面逆Ｔ字形状のＴフレーム３における所要の複数の格子位置に照明装置１０Ａが取り付けられたものからなっている。格子状のＴフレーム３の照明装置１０Ａ以外の格子位置には、例えば石膏ボード等の天井仕上げ材４が該断面逆Ｔ字形状のＴフレーム３に載せられている。
【００２１】
上記照明装置１０Ａは、図３に示すように、本体フレーム１１Ａと、本体フレーム１１Ａに内蔵される図示しない電源部と、本体フレーム１１Ａとは別体であって、該本体フレーム１１Ａに対して着脱可能となっている箱状の光源ユニット２０Ａを備えている。
【００２２】
本体フレーム１１Ａは、図３及び図４の（ａ）（ｂ）に示すように、互いに平行に配された一対の帯状フレーム１１ａ・１１ｂと、この帯状フレーム１１ａ・１１ｂの長手方向の両端部において架け渡された収容部１２・１２とからなっている。
【００２３】
したがって、本体フレーム１１Ａは、略矩形状の箱状となっていると共に、中央部は開口１１ｃとなっている。この開口１１ｃには、照明装置１０Ａとは異なる例えばスプリンクラー、空調機器、スピーカー、非常用照明器具等の他の設備が設置されるようになっている。この結果、本実施の形態の照明システム１では、照明設備と他の設備とが一体となって天井に配置されるようになっている。
【００２４】
上記本体フレーム１１Ａは、図示しないＴフレーム取付金具によりシステム天井の格子状に配設された前記Ｔフレーム３の所要の箇所に固定することができる。尚、以下、照明装置１０Ａは、システム天井に設置されるものとして説明するが、本発明に係る照明装置１０Ａは、必ずしもシステム天井用に限定されるものではない。
【００２５】
上記収容部１２・１２は、上記開口１１ｃを挟んで両側に設けられており、光源ユニット２０Ａを収容するようになっている。ただし、収容部１２・１２は、必ずしも光源ユニット２０Ａを収容するだけに限らず、例えば、一方の収容部１２の上側に、電源部を収容するためのスペースを設けてもよい。或いは、光源ユニット２０Ａの消費電力が大きい場合等には、図示しない電源部をそれぞれの収容部１２・１２の上側に設けて所要の電力を供給するようにしてもよい。
【００２６】
上記図示しない電源部は、詳細には、交流電圧を所定の直流電圧に変換する変換回路等を構成する電気部品が実装された電源基板と、電源基板を保護する電源基板カバーと、ＬＥＤチップの発光量を制御して調光する調光回路等を構成する電気部品が実装された調光基板と、調光基板を保護する調光基板カバー、商用電源からの電源線を電源部に接続するための速結端子台等とを備えている。尚、調光基板、調光基板カバーは必須ではなく、調光機能を有しない照明装置１０Ａでは省略することができる。
【００２７】
尚、電源部と光源ユニット２０Ａとの間には、図示しない配線が施されており、例えば、配線用コネクタを介して配線の接続、取り外しを行うことができるようになっている。
【００２８】
上記収容部１２は、略箱状の空間であり、天板１２ａと、側板１２ｂと、帯状フレーム１１ａ・１１ｂの一部とによって囲まれて構成されている。この結果、収容部１２の下側は、図４の（ａ）（ｂ）に示すように、底板が存在せずに開口部１２ｃとなっており、略箱状の空間に、開口部１２ｃを通して光源ユニット２０Ａが収容されるようになっていると共に、収容部１２は、光源ユニット２０Ａを収容部１２に収容した状態において開口部１２ｃの一部が空気の流入口ＥＮＴとなるように形成されている。
【００２９】
また、収容部１２には、図５に示すように、光源ユニット２０Ａを収容した状態において、光源ユニット２０Ａの上面と天板１２ａとの間に、隙間１２ｄが設けられている。また、図４の（ａ）及び図５に示すように、天板１２ａには、流入口ＥＮＴから取り入れた空気を排出するための流出口ＥＸＴが、天板１２ａの長手方向の一方の端部において、光源ユニット２０Ａの短手方向の寸法よりも天板１２ａの短手方向の寸法を小さくすることによって形成されている。すなわち、流出口ＥＸＴは、光源ユニット２０Ａの長手方向の端部に位置している。
【００３０】
ここで、光源ユニット２０Ａには、該光源ユニット２０Ａの長手方向に沿って図示しない通気用の開口が設けられており、光源ユニット２０Ａにて発生した熱がこの通気用の開口から放出されるようになっている。したがって、収容部１２に、上記流入口ＥＮＴと流出口ＥＸＴとを設けることにより、流入口ＥＮＴから取り入れた空気が、光源ユニット２０Ａの長手方向に沿って形成された図示しない通気用の開口、光源ユニット２０Ａと天板１２ａとの間の隙間１２ｄ及び流出口ＥＸＴを通過する流路Ｒが形成されている。これにより、流入口ＥＮＴから取り入れた空気が流出口ＥＸＴから排出される間に、光源ユニット２０Ａの上面に設けられた後述するＬＥＤベース２１の上側を長手方向の一方の縁辺から他方の縁辺まで流れることになる。この結果、ＬＥＤベース２１が冷却されるので、放熱効果を向上させることができる。尚、流路Ｒは、流路の全長に亘って光源ユニット２０Ａに沿っている必要はなく、光源ユニット２０ＡのＬＥＤモジュールが搭載される側面のみといった少なくとも一部に沿っていれば、放熱効果を得ることが可能である。つまり、少なくともＬＥＤモジュールが搭載されるＬＥＤベース２１の面に流路Ｒが設けられていればよい。
【００３１】
また、流出口ＥＸＴの形状や個数は一例であって、これに限定されるものではない。例えば、空気排出ための流量を大きくするために、複数個所の流路を設けてもよい。さらに、電源部を収容するスペースを設けない場合には、流出口ＥＸＴを天板１２ａの縁辺つまり開口１１ｃの縁辺近傍に沿って設けることもできる。
【００３２】
上記光源ユニット２０Ａは、図４の（ｂ）に示すように、後述する光透過パネル２５を下側に向けて収容部１２に収容されている。光源ユニット２０Ａは、平面視が、例えば、長方形状であって、光源ユニット２０ＡにおけるＬＥＤベース２１の長辺方向の一方の辺縁付近には、一対の突起部２１ｃ・２１ｃが設けられている。そして、突起部２１ｃ・２１ｃに対応する収容部１２の位置には、突起部２１ｃ・２１ｃを嵌挿する嵌挿部１２ｅ・１２ｆが設けられている。光源ユニット２０Ａは、突起部２１ｃ・２１ｃを嵌挿部１２ｅ・１２ｆに嵌挿させた状態で突起部２１ｃ・２１ｃ同士を結ぶ仮想軸（不図示）回りに揺動させて収容部１２に収容することができ、また、収容部１２から取り出すことができる。
【００３３】
次に、上記光源ユニット２０Ａの構成について、図３、図６の（ａ）（ｂ）及び図７に基づいて説明する。図６の（ａ）は本実施の形態における照明装置の光源ユニットを上側から見た斜視図であり、図６の（ｂ）は、上記光源ユニットを下側から見た斜視図である。また、図７は光源ユニットの構成を示す断面図である。
【００３４】
上記光源ユニット２０Ａは、図３に示すように、アルミニウム製等の放熱性に優れた金属製で放熱板としての機能を有するＬＥＤベース２１と、ＬＥＤベース２１の側面であるベース側面２１ａ・２１ｂのうちの一方のベース側面２１ａにビスやリベット等で固定され、ＬＥＤチップが基板に一列に複数実装された光源としてのＬＥＤモジュール２２と、ＬＥＤチップから発せられる光を内部に結合、伝搬させて所望の光路変換手段により同内部より外部へ光を取り出す導光部材２３と、導光部材２３から外部に出射された光を反射し、照明空間側に反射する反射シート２４と、導光部材２３から出射された光を照明空間側へ透過する透光パネルとしての光透過パネル２５とを備えている。また、導光部材２３におけるＬＥＤモジュール２２の反対側の端部には反射板２８が設けられており、導光部材２３の内部を全反射して導光し、端部に達した光はこの反射板２８にて反射されるようになっている。
【００３５】
また、ここで、ＬＥＤチップと導光部材２３との厚み方向について、ズレが生じると結合効率の低下を生じるため、厚み方向の位置を一致させるためスペーサ２６をＬＥＤベース２１と反射シート２４の間に挿入している。これらの部材をＬＥＤベース２１に収め、フレーム部材２７を嵌め合わせることによって、図６の（ａ）（ｂ）及び図７に示すように、略箱状の光源ユニット２０Ａが形成される。尚、ＬＥＤベース２１とフレーム部材２７とは図示しないネジ等により固定される。
【００３６】
上記反射シート２４は、導光部材２３の光路変換手段としての図示しない拡散パターン光拡散部によって散乱されて全反射条件が破れて導光部材２３の裏面に出射された光を反射させて、再度、導光部材２３に入射させる機能を有している。すなわち、導光部材２３に設けられた拡散パターンは、光を散乱させるために粒子が配合されたインク等が用いられる。この拡散パターンに配合された粒子に当った光はミー散乱を起こす。そして、ミー散乱では光の入射方向に対して光強度が強くなる前方散乱を起こす。すなわち、指向性が強く、導光部材２３においては、図１の（ｂ）に示すように、導光方向に出射平面と鋭角をなす方向（寝た方向）に指向性を有している。
【００３７】
ここで、反射シート２４は、通常の光源ユニット２０Ａに設けられており、一般的には、例えばポリエステルや発泡ＰＥＴ(Polyethylene Terephthalate)から形成されており、光の反射特性を有している。このため、反射シート２４は、導光部材２３の出射面から漏れた光を反射させて導光部材２３に戻し、導光部材２３の表面から出射させる。
【００３８】
したがって、反射シート２４にて光が反射されるときに、例えば反射シート２４に表面に凹凸がある等によって拡散反射効果が高い場合には、光を様々な方向に光を拡散（散乱）させることになる。すなわち、拡散性の高い反射シートでは、反射させるときに、導光部材２３から出射された指向性の強い光を様々な方向に拡散させるため、導光部材２３から出射されたときの指向性が弱くなることになり、その結果、出射の分布はランバート分布に近づくことになる。これに対して、反射シート２４が鏡のような面であれば、光の入射角≒光の反射角（正反射）となるので、導光部材２３から出射された光の指向性を損なうことなく反射することができる。尚、反射時に光の吸収があるため、一部の光損失は生じる。
【００３９】
したがって、本実施の形態では、このような光の入射角≒光の反射角（正反射）となる反射シート２４を用いることによって導光部材２３の裏面に吸収されていた光を有効に利用できるため、照明装置の照度を向上させることができるものとなっている。
【００４０】
すなわち、本実施の形態では、反射シート２４は、導光部材２３から出射された光の拡散を抑制する拡散抑制部材からなっており、反射時の拡散性が低いものとなっている。具体的には、反射シート２４は例えばアルミ蒸着フィルム等からなっており、光を、乱反射させず、正反射する材料からなっている。このように、本実施の形態では、反射シート２４における光の拡散を抑制する拡散抑制部材とは、光の入射角≒光の反射角（正反射）となる材料をいう。例えば、正反射角度±２．５°内の方向に進む光の割合が７０％以上であることが好ましい。
【００４１】
また、光透過パネル２５は、導光部材２３の保護と導光部材２３に設けられた拡散パターンの輝点の視認性を抑制するために一般的には光拡散性を有するものである。この光透過パネル２５は、一般的には、例えばポリカーボネイト（ＰＣ）やＰＭＭＡ（アクリル）やＰＣ（ポリカーネート）又はＰＳ（ポリスチレン）から形成されており、光の透過性を有している。
【００４２】
ここで、光透過パネル２５は、反射シート２４の反射とは異なり、透過するときに、光を拡散させる。そして、反射シート２４と同様に、導光部材２３から出射された指向性の強い光が、拡散性の高い光透過パネルを透過するときに、この光透過パネルの拡散性によって様々な方向に光が拡散されるため、導光部材２３から出射されたときの指向性が弱くなることになり、延いては、ランバート分布に近づくことになる。
【００４３】
これに対して、本実施の形態では、光透過パネル２５は、導光部材２３から出射された光の拡散を抑制する拡散抑制部材からなっており、拡散性が低いものとなっている。したがって、本実施の形態の光透過パネル２５は、例えば、導光部材２３の保護のみを目的とした透明なものからなっており、例えば透明アクリル板等の透明な透光パネルからなっている。これにより、光透過パネル２５を透過するときに光を散乱させることがないので、導光部材２３から出射された光の指向性を損なうことなく透過することができる。このように、本実施の形態では、光透過パネル２５における光の拡散を抑制する拡散抑制部材とは、光の指向性を損なうことなく透過する材料をいう。例えば、透過後の光が入射角度±２．５°内の方向に進む割合が７０％以上であることが好ましい。
【００４４】
上記光源ユニット２０Ａの出射光路について、図１の（ａ）（ｂ）に基づいて説明する。図１の（ａ）は本実施の形態の照明装置の構成を示す斜視図であり、図１の（ｂ）は上記照明装置からの出射光を示す断面図である。
【００４５】
上記の光源ユニット２０Ａでは、図１の（ａ）（ｂ）に示すように、ＬＥＤモジュール２２から発せられた光は、導光部材２３の入光端面から該導光部材２３に結合し、導光部材２３の内部を全反射することによって伝搬する。この伝搬の過程において、導光部材２３に設けられた図示しない光路変換手段としての拡散パターンに入射した光は、この拡散パターンにより光路を変換され、全反射条件を満たさなくなった光が外部に取り出されることになる。
【００４６】
ここで、拡散パターンによって光路を変換された光は、導光部材２３の出射平面と鋭角を成す角度にて導光部材２３から導光方向に出射される。そして、導光部材２３から出射された光は、反射シート２４又は光透過パネル２５によって、それぞれ、反射拡散及び透過拡散の影響を受ける。このとき、反射シート２４又は光透過パネル２５の拡散性が高くなる程、配光はランバート分布に近づいていき、広配光の効果が小さくなる。
【００４７】
これに対して、本実施の形態の照明装置１０Ａでは、反射シート２４又は光透過パネル２５が、拡散抑制部材からなっており、光が拡散しない。この結果、本実施の形態の照明装置１０Ａの照明では、ＬＥＤモジュール２２の導光部材２３への入射方向と平行な方向に配光を拡げることができる。
【００４８】
具体的には、導光部材２３の裏面に出射された光は、反射シート２４にて反射されて導光部材２３に再度入射される。ここで、この反射シート２４が光を拡散する部材からなっていると、反射シート２４での反射光が導光部材２３に戻るときに光が拡散され、結果的に、導光部材２３の表面から出射される光が拡散されたものになる。この結果、導光部材２３の表面から出射される光はランバート分布に近づくので、照明装置の照射領域が正円になる。
【００４９】
これに対して、本実施の形態では、反射シート２４は、導光部材２３から出射された光の拡散を抑制する拡散抑制部材からなっている。このため、光路変換手段としての拡散パターンによって導光部材２３の裏面に出射された光は、反射シート２４では乱反射等がなされずに正反射される。この結果、導光部材２３の内部へはＬＥＤモジュール２２からの入射方向と平行方向に再入射され、光路変換手段としての拡散パターンによって導光部材２３の表面から出射される光はＬＥＤモジュール２２からの導光部材２３への入射方向と平行な方向となる。これにより、照明装置１０Ａの照射領域がＬＥＤモジュール２２からの導光部材２３への入射方向と平行方向に長軸を有する楕円となる。このことは、照明装置１０Ａの配光を一方向に広げることにより、その方向の照明装置１０Ａの配設数を減少可能とすることを意味する。
【００５０】
したがって、部材数の増加及びそれに伴うコスト増加を生じることなく、照明装置１０Ａの配光を広げて、少ない照明装置１０Ａ数により照明空間内を均整に照明し得る照明装置１０Ａを提供することができる。
【００５１】
次に、導光部材２３の表面に出射された光は、光透過パネル２５を経て照明空間に照射される。
【００５２】
ここで、従来では、導光部材２３の表面側に設けられた透光パネルに拡散性を持たせて、導光部材２３の表面側からの出射光が各方向に広がるようにしていた。しかしながら、このようにすると、結果的に、照明装置の照射領域がランバート分布による正円になる。このため、照明装置の照射領域についていえば、一方向へ延びるべき照射領域が縮まることになる。
【００５３】
これに対して、本実施の形態では、光透過パネル２５は、導光部材２３から出射された光の拡散を抑制する拡散抑制部材からなっている。このため、光路変換手段としての拡散パターンによって導光部材２３の表面から出射される光は、光透過パネル２５での拡散が抑制されるので、光透過パネル２５からの出射光はＬＥＤモジュール２２からの導光部材２３への入射方向と同じ方向となる。具体的には、光の導光方向つまり図１の（ａ）に示すｘ軸方向において、導光部材２３の出射面つまり導光部材２３の表面と鋭角をなす方向に出射される。
【００５４】
これにより、照明装置１０Ａの照射領域がＬＥＤモジュール２２からの導光部材２３への入射方向と平行方向に長軸を有する楕円となる。このことは、照明装置１０Ａの配光を一方向に広げることにより、その方向の照明装置１０Ａの配設数を減少可能とすることを意味する。
【００５５】
したがって、部材数の増加及びそれに伴うコスト増加を生じることなく、照明装置１０Ａの配光をさらに広げて、少ない照明装置数により照明空間内を均整に照明し得る照明装置１０Ａを提供することができるものとなる。
【００５６】
ここで、本実施の形態の照明装置１０Ａにおいて、配光を拡げた場合、照明領域に導かれる光束の密度が疎となるため、照明装置として光束を大きくする必要がある。これに対して、本実施の形態では、ＬＥＤモジュール２２を流入口ＥＮＴ側に搭載することによって、ＬＥＤモジュール２２を冷却しているので、発光効率を向上することができるものとなっている。
【００５７】
上記構成の照明装置１０Ａにおける具体的な配光分布について、図８に基づいて説明する。図８は、本実施の形態の照明装置１０Ａにおける配光分布を示す分布図である。
【００５８】
まず、従来の照明装置においては、反射シート２４及び光透過パネル２５が拡散部材からなっていたので、図８において破線で示すように、その配光分布は、略正円となる。つまり、小さな範囲である略正円の範囲が均一な照度が得られる範囲となる。これに対して、本実施の形態の照明装置１０Ａにおけるｘ軸方向つまりＬＥＤモジュール２２からの光の入射方向の配光分布は、図８において実線にて示される。また、本実施の形態の照明装置１０Ａにおけるｙ軸方向つまりＬＥＤモジュール２２からの光の入射方向に対して直交する方向の配光分布は、図８において一点鎖線にて示される。
【００５９】
この配光評価結果により、ＬＥＤモジュール２２の導光部材２３への入射方向に配光を拡げることが可能であることが分かる。
【００６０】
次に、本実施の形態の照明装置１０Ａにおいて、ＬＥＤモジュール２２の搭載位置を流入口ＥＮＴの側面つまりＬＥＤベース２１と、流入口ＥＮＴを有しない対向側であるＬＥＤベース２１に搭載した場合のＬＥＤモジュール２２の半田面温度とを比較して測定した、尚、測定は、ＬＥＤモジュール２２への投入電力を５７Ｗとし、室温約３５℃下、周囲に風が生じない無風環境中にて行った。
【００６１】
その結果、ＬＥＤモジュール２２を流入口ＥＮＴ側に搭載した場合、ＬＥＤ素子の半田面温度はΔＴ＝４０．８℃であった。一方、ＬＥＤモジュール２２を流入口ＥＮＴを有しない対向側に搭載した場合、ＬＥＤ素子の半田面温度はΔ＝５５．４℃であった。また、このときの全光束は、ＬＥＤモジュール２２を流入口ＥＮＴ側に搭載した場合には４９１１（ｌｍ）であり、ＬＥＤモジュール２２を流入口ＥＮＴを有しない対向側に搭載した場合には４７３３（ｌｍ）であった。
【００６２】
このように、ＬＥＤモジュール２２を流入口ＥＮＴ側に搭載することによって、冷却することができる。その結果、発光効率を向上することができ、配光を拡げることによる光束不足を改善することができることが把握できた。
【００６３】
上述したように、本実施の形態では、導光部材２３からの光出射角を利用することによって、広配光の照明装置１０Ａを実現できるものとなっている。尚、上述の説明では、光源ユニット２０ＡはＬＥＤモジュール２２を内蔵する構成であったが、ＬＥＤモジュール２２の他に電源部やその他の機能部品を内蔵する構成であってもよい。これにより、電源部やその他の機能部品から発生する熱も放熱することができる。
【００６４】
また、本実施の形態では、いわゆるシステム天井用の照明装置を例として説明したが、本発明は、光源ユニットを内蔵した薄型照明装置であれば、どのような照明装置にも適用することができる。さらに、照明装置１０Ａの形状は矩形状に限定されるものではなく、円形状であってもよい。
【００６５】
このように、本実施の形態の照明装置１０Ａでは、ＬＥＤモジュール２２は、導光部材２３の少なくとも一つの入光端面側に設けられていると共に、反射シート２４は、導光部材２３から出射された光の拡散を抑制する拡散抑制部材からなっている。
【００６６】
すなわち、反射シート２４は、導光部材２３の裏面に出射された光を、再度、導光部材２３に戻すために設けられているものである。ここで、この反射シート２４が光を拡散する部材からなっていると、反射シート２４での反射光が導光部材２３に戻るときに光が拡散され、結果的に、導光部材２３の表面から出射される光が拡散されたものになる。この結果、導光部材２３の表面から出射される光はランバート分布に近づくので、照明装置の照射領域が正円になる。
【００６７】
これに対して、本実施の形態では、反射シート２４は、導光部材２３から出射された光の拡散を抑制する拡散抑制部材からなっている。このため、光路変換手段によって導光部材２３の裏面に出射された光は、反射シート２４では乱反射等がなされずに略正反射される。この結果、導光部材２３の内部へはＬＥＤモジュール２２からの入射方向と平行方向に再入射され、光路変換手段によって導光部材２３の表面から出射される光はＬＥＤモジュール２２からの導光部材２３への入射方向と平行な方向となる。これにより、照明装置１０Ａの照射領域がＬＥＤモジュール２２からの導光部材２３への入射方向と平行方向に長軸を有する楕円となる。このことは、照明装置１０Ａの配光を一方向に広げることにより、その方向の照明装置１０Ａの配設数を減少可能とすることを意味する。
【００６８】
したがって、部材数の増加及びそれに伴うコスト増加を生じることなく、照明装置１０Ａの配光を広げて、少ない照明装置数により照明空間内を均整に照明し得る照明装置１０Ａを提供することができる。
【００６９】
また、本実施の形態における照明装置１０Ａでは、光源ユニット２０Ａは、導光部材２３の表面側に光透過パネル２５を備えていると共に、光透過パネル２５は、導光部材２３から出射された光の拡散を抑制する拡散抑制部材からなっている。
【００７０】
すなわち、従来では、導光部材の表面側に設けられた透光パネルに拡散性を持たせて、導光部材の表面側からの出射光が各方向に広がるようにしている。しかしながら、このようにすると、結果的に、照明装置の照射領域がランバート分布による正円になる。このため、照明装置の照射領域についていえば、一方向へ延びるべき照射領域が縮まることになる。
【００７１】
これに対して、本実施の形態では、光透過パネル２５は、導光部材２３から出射された光の拡散を抑制する拡散抑制部材からなっている。このため、光路変換手段によって導光部材２３の表面から出射される光は、光透過パネル２５での拡散が抑制されるので、光透過パネル２５からの出射光はＬＥＤモジュール２２からの導光部材２３への入射方向と同じ方向となる。これにより、照明装置１０Ａの照射領域がＬＥＤモジュール２２からの導光部材２３への入射方向と平行方向に長軸を有する楕円となる。このことは、照明装置１０Ａの配光を一方向に広げることにより、その方向の照明装置１０Ａの配設数を減少可能とすることを意味する。
【００７２】
したがって、部材数の増加及びそれに伴うコスト増加を生じることなく、照明装置１０Ａの配光をさらに広げて、少ない照明装置数により照明空間内を均整に照明し得る照明装置１０Ａを提供することができる。
【００７３】
また、本実施の形態における照明装置１０Ａは、ＬＥＤモジュール２２は、発光ダイオードを使用している。これにより、省エネルギー、高出力及び長寿命の照明装置１０Ａを提供することができる。
【００７４】
〔実施の形態２〕
本発明の他の実施の形態について図９に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７５】
前記実施の形態１における照明装置１０Ａの光源ユニット２０Ａでは、光源としてのＬＥＤモジュール２２は、導光部材２３の一つの入光端面側に設けられていた。しかしながら、本実施の形態における照明装置１０Ａの光源ユニット２０Ｂでは、光源としてのＬＥＤモジュール２２・２２が、導光部材２３の対向する一対の端面である入光端面側にそれぞれ設けられている点が異なっている。
【００７６】
本実施の形態の照明装置１０Ｂの光源ユニット２０Ｂの構成について、図９の（ａ）（）に基づいて説明する。図９の（ａ）は本実施の形態における照明装置の光源ユニット２０Ｂの構成を示す斜視図であり、（ｂ）は上記照明装置からの出射光を示す断面図である。
【００７７】
本実施の形態の照明装置１０Ｂの光源ユニット２０Ｂは、図９の（ａ）（ｂ）に示すように、光源としてのＬＥＤモジュール２２・２２が、導光部材２３の対向する一対の端面である入光端面側にそれぞれ設けられている。尚、その他の構成は、実施の形態１にて説明した光源ユニット２０Ａと同じであるので、その説明を省略する。
【００７８】
このように、本実施の形態の照明装置１０Ａでは、光源ユニット２０Ｂでは、ＬＥＤモジュール２２・２２を、導光部材２３を挟んで対向するように配置することによって、配光が拡げられた照明装置１０Ａを構成することができるものとなっている。すなわち、図９の（ａ）（ｂ）に示すように、１枚の導光部材２３の対向する方向にＬＥＤモジュール２２・２２を設けて、対向する二方向から光を導光させた場合、導光部材２３から出射された指向性を持った光が対向する方向に足し合わせられる。
【００７９】
これにより、該導光部材２３においては、ＬＥＤモジュール２２の導光部材２３への入射方向に光が拡がることになる。
【００８０】
したがって、部材数の増加及びそれに伴うコスト増加を生じることなく、照明装置１０Ａの配光を広げて、少ない照明装置数により照明空間内を均整に照明し得る照明装置１０Ａを提供することができる。
【００８１】
〔実施の形態３〕
本発明の他の実施の形態について図１０に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００８２】
前記実施の形態１の照明装置１０Ａでは、２つの光源ユニット２０Ａ・２０Ａが本体フレーム１１Ａの開口１１ｃを介して離れて設けられていた。しかし、本実施の形態の照明装置１０Ｂでは、本体フレーム１１Ｂに２つの光源ユニット２０Ａ・２０Ａが互いに接触して設けられている点が異なっている。
【００８３】
本実施の形態の照明装置１０Ｂの構成について、図１０に基づいて説明する。図１０は、本実施の形態の照明装置１０Ｂの構成を示す底面図である。
【００８４】
本実施の形態の照明装置１０Ｂは、図１０に示すように、略正方形の本体フレーム１１Ｂを有しており、２つの光源ユニット２０Ａ・２０Ａが互いに接触して設けられている。したがって、本体フレーム１１Ｂには、２つの光源ユニット２０Ａ・２０Ａの間には開口１１ｃは存在していない。
【００８５】
上記２つの光源ユニット２０Ａ・２０Ａは、該光源ユニット２０Ａ・２０Ａを囲う本体ベース１１ｄと該本体ベース１１ｄの角と本体フレーム１１Ｂとの角を繋ぐアーム１１ｅとによって本体フレーム１１Ｂに係止されている。この結果、光源ユニット２０Ａ・２０Ａの周辺４辺に流入口ＥＮＴが形成されたものとなっている。
【００８６】
したがって、本実施の形態の光源ユニット２０Ａ・２０Ａの構造は、実施の形態１に示したものと同様であり、ＬＥＤモジュール２２の搭載位置が光源ユニット２０Ａの一辺に搭載されたものとなっており、その部分は、流入口ＥＮＴとなっている。
【００８７】
これにより、本実施の形態の照明装置１０Ｂでは、ＬＥＤモジュール２２・２２は、流入口ＥＮＴ・ＥＮＴから取り入れた空気によって冷却される。さらに、ＬＥＤモジュール２２を一辺に備える光源ユニット２０Ａ・２０Ａが２つ搭載されているため、照明装置１０Ｂの２つの光源ユニット２０Ａ・２０ＡのＬＥＤモジュール２２・２２の導光部材２３への入射方向に光が拡げられている。
【００８８】
尚、本実施の形態の照明装置１０Ｂでは、実施の形態１の光源ユニット２０Ａ・２０Ａが互いに接触して設けられているとして説明した。しかしながら、本実施の形態の照明装置１０Ｂにおいては、実施の形態２の光源ユニット２０Ｂ・２０Ｂが互いに接触して設けられているとすることも可能である。
【００８９】
このように、本実施の形態における照明装置１０Ｂは、光源としてのＬＥＤモジュール２２の光を導光部材２３の内部に伝搬する方向が互いに正反対の方向となるように配置された一対の光源ユニット２０Ａ・２０Ａ又は一対の光源ユニット２０Ｂ・２０Ｂが設けられている。
【００９０】
これにより、本実施の形態の照明装置１０Ｂでは、一対の光源ユニット２０Ａ・２０Ａ又は一対の光源ユニット２０Ｂ・２０Ｂにて構成されていることになる。そして、本実施の形態では、一対の光源ユニット２０Ａ・２０Ａ又は一対の光源ユニット２０Ｂ・２０Ｂは、ＬＥＤモジュール２２・２２の光を導光部材２３の内部に伝搬する方向が互いに正反対の方向となるように配置されている。この結果、一対の一対の光源ユニット２０Ａ・２０Ａ又は一対の光源ユニット２０Ｂ・２０ＢにおけるＬＥＤモジュール２２・２２の光の進行方向が互いに逆方向となるので、光の前進方向と後退方向の両方に光の照射領域が延びることになる。
【００９１】
したがって、部材数の増加及びそれに伴うコスト増加を生じることなく、照明装置１０Ｂの配光を、導光部材２３の一つの入光端面側に設けられたＬＥＤモジュール２２の２倍の照射領域に広げて、少ない照明装置数により照明空間内を均整に照明し得る照明装置１０Ｂを提供することができる。
【００９２】
〔実施の形態４〕
本発明の他の実施の形態について図１１に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【００９３】
前記実施の形態１の照明装置１０Ａ及び実施の形態２の照明装置１０Ｂでは、２つの光源ユニット２０Ａ・２０Ａが本体フレーム１１Ａ・１１Ｂに設けられていた。しかし、本実施の形態の照明装置１０Ｃでは、本体フレーム１１Ｃに４つの光源ユニット２０Ａ・２０Ａ・２０Ａ・２０Ａが設けられている点が異なっている。
【００９４】
本実施の形態の照明装置１０Ｃの構成について、図１１に基づいて説明する。図１１は、本実施の形態の照明装置１０Ｃの構成を示す底面図である。
【００９５】
本実施の形態の照明装置１０Ｃは、図１１に示すように、略正方形の本体フレーム１１Ｃを有しており、４つの光源ユニット２０Ａ・２０Ａ・２０Ａ・２０Ａが本体フレーム１１Ｃの内側周辺に沿って設けられている。したがって、本体フレーム１１Ｃの中央部には、開口１１ｃが存在している。そして、本実施の形態の照明装置１０Ｃでは、この本体フレーム１１Ｃの中央部における開口１１ｃが流入口ＥＮＴとなっている。
【００９６】
また、４つの光源ユニット２０Ａ・２０Ａ・２０Ａ・２０ＡのＬＥＤモジュール２２・２２・２２・２２は、本体フレーム１１Ｃの中央部における開口１１ｃ側に配設されている。
【００９７】
これにより、本実施の形態の照明装置１０Ｃでは、ＬＥＤモジュール２２・２２・２２・２２は、流入口ＥＮＴから取り入れた空気によって冷却される。さらに、ＬＥＤモジュール２２を一辺に備える光源ユニット２０Ａ・２０Ａ・２０Ａ・２０Ａが４つ搭載されているため、照明装置１０Ｃの４つの光源ユニット２０Ａ・２０Ａ・２０Ａ・２０ＡのＬＥＤモジュール２２・２２・２２・２２から導光部材２３への入射方向に配光が拡げられている。つまり、方形の照明装置１０Ｃの全周に渡って配光が拡げられている。
【００９８】
尚、本実施の形態の照明装置１０Ｃは、実施の形態１の光源ユニット２０Ａ・２０Ａを用いて説明した。しかしながら、本実施の形態の照明装置１０Ｂにおいては、実施の形態２の光源ユニット２０Ｂ・２０Ｂについて適用することも可能である。
【００９９】
このように、本実施の形態の照明装置１０Ｃでは、光源としてのＬＥＤモジュール２２の光を導光部材２３の内部に伝搬する方向が互いに正反対の方向となるように配置された二対の光源ユニット２０Ａ・２０Ａ又は二対の光源ユニット２０Ｂ・２０Ｂが設けられている。
【０１００】
これにより、本実施の形態の照明装置１０Ｂでは、二対の光源ユニット２０Ａ・２０Ａ又は二対の光源ユニット２０Ｂ・２０Ｂにて構成されていることになる。そして、本実施の形態では、各一対の光源ユニット２０Ａ・２０Ａ又は一対の光源ユニット２０Ｂ・２０Ｂは、ＬＥＤモジュール２２・２２の光を導光部材２３の内部に伝搬する方向が互いに正反対の方向となるように配置されている。この結果、一対の光源ユニット２０Ａ・２０Ａ又は一対の光源ユニット２０Ｂ・２０ＢにおけるＬＥＤモジュール２２・２２の光の進行方向が互いに逆方向となるので、光の前進方向と後退方向の両方に光の照射領域が延びることになる。そして、本実施の形態では、二対の光源ユニット２０Ａ・２０Ａ又は一対の光源ユニット２０Ｂ・２０Ｂは、互いに一対毎に直交している。したがって、縦方向及び横方向の両方に光の照射領域が延びることになる。
【０１０１】
したがって、部材数の増加及びそれに伴うコスト増加を生じることなく、照明装置１０Ｂの配光を、導光部材２３の一つの入光端面側に設けられたＬＥＤモジュール２２の２倍の照射領域に広げて、少ない照明装置数により照明空間内を均整に照明し得る照明装置１０Ｂを提供することができる。
【０１０２】
〔実施の形態５〕
本発明の他の実施の形態について図１２に基づいて説明すれば、以下のとおりである。尚、本実施の形態において説明すること以外の構成は、前記実施の形態１〜実施の形態４と同じである。また、説明の便宜上、前記の実施の形態１〜実施の形態４の図面に示した部材と同一の機能を有する部材については、同一の符号を付し、その説明を省略する。
【０１０３】
本実施の形態では、実施の形態１〜４にて説明した照明装置１０Ａ・１０Ｂ・１０Ｃのいずれかを備えた照明システム１を、オフィス環境にて用いた場合について説明する。
【０１０４】
本実施の形態の照明システム１では、照明装置１０Ａ・１０Ｂ・１０Ｃに導光部材２３を用いて、この導光部材２３から出射される光の配光を活用して広配光の照明を実現している。このため、オフィス環境内を均一に照明するために必要であった従来の照明台数に比べて、少ない照明台数にて均整度を高めることができるものとなっている。
【０１０５】
このことを、本実施の形態１の照明装置１０Ａを備えた照明システム１をオフィス環境内にて用いた実施例における照度解析結果を、従来例との比較により説明する。
【０１０６】
比較に際して、照明システム１における照明空間は、床面寸法１２．６ｍ×１２．６ｍとし、天井高さを２．８ｍとした。また、天井面の反射率を８０％とし、壁面の反射率を５０％とし、床面の反射率を１０％とした。さらに、計算面の高さを０．８ｍとした。
【０１０７】
また、照明システム１は、一例として、システム天井に設置する設定として、ＴバーにてなるＴフレーム３にて形成された約６００ｍｍ角の升目に配置することを想定した。
【０１０８】
尚、従来例においても上記と同一条件とした。
【０１０９】
そして、従来例では、図１２の（ｂ）に示すように、照明装置を縦横に１升置きに配置する一方、実施例では、図１２の（ａ）に示すように、配光を拡げた横方向について、２升置きに配置した。
【０１１０】
ここで、照明空間の均整度は、該照明空間の平均照度に対する最小照度の比Ｇ１（最小照度／平均照度）にて表わすことができる。この均整度Ｇ１は、数字が大きくなる程、均整度が高いことを示している。
【０１１１】
実施例と従来例とについて、上記均整度Ｇ１を比較した結果、従来例では均整度Ｇ１＝０．４０８であった。これに対して本実施例では均整度Ｇ１＝０．４０７であった。すなわち、実施例と従来例とも、均整度Ｇ１は略同じ結果が得られた。
【０１１２】
ここで、重要となるのは照明空間内に設置された照明装置１０Ａの台数であり、従来例の４９台に対して、実施例では３５台となっており、実施例の方が従来例よりも照明装置の台数を少なくすることができる。すなわち、本実施例では、広配光の照明装置１０Ａを用いることによって、照明装置１０Ａを配置する間隔を大きくとることができるため、照明空間内における照明装置１０Ａの台数を少なくすることができる。
【０１１３】
また、照明装置１０Ａの台数を削減することができるので、トータルのコストを抑えることが可能となる。
【０１１４】
このように、本実施の形態における照明システム１は、本実施の形態の照明装置１０Ａ・１０Ｂ・１０Ｃを複数備えた照明システムであって、照明装置１０Ａ・１０Ｂ・１０Ｃは、天井の縦横に配列されており、照明装置１０Ａ・１０Ｂ・１０Ｃにおける光源ユニット２０Ａ・２０Ｂの導光部材２３の側面に設けられたＬＥＤモジュール２２からの光の入射方向と平行な方向に配列された照明装置１０Ａ・１０Ｂ・１０Ｃのピッチｄ１と、照明装置１０Ａ・１０Ｂ・１０Ｃにおける光源ユニット２０Ａ・２０Ｂの導光部材２３の側面に設けられたＬＥＤモジュール２２からの光の入射方向と垂直な方向に配列された照明装置１０Ａ・１０Ｂ・１０Ｃのピッチｄ２とが、
ｄ１＞ｄ２
の関係にある。
【０１１５】
この結果、照明システム１の照明空間全体としては、均一な照度分布が得られることになる。
【０１１６】
したがって、部材数の増加及びそれに伴うコスト増加を生じることなく、照明装置１０Ａ・１０Ｂ・１０Ｃの配光を広げて、少ない照明装置数により照明空間内を均整に照明し得る照明装置１０Ａ・１０Ｂ・１０Ｃを備えた照明システム１を提供することができる。
【０１１７】
〔まとめ〕
本発明における態様１の照明装置１０Ａ・１０Ｂ・１０Ｃは、光源（ＬＥＤモジュール２２）と、上記光源（ＬＥＤモジュール２２）の光を入光端面から内部に結合し、伝搬した後、外部へ取り出す光路変換手段を備えた導光部材２３と、上記導光部材２３の裏面に設けられた反射シート２４とを含む光源ユニット２０Ａ・２０Ｂを備えた照明装置であって、上記光源（ＬＥＤモジュール２２）は、導光部材２３の少なくとも一つの入光端面側に設けられていると共に、上記反射シート２４は、導光部材２３から出射された光の拡散を抑制する拡散抑制部材からなっている。
【０１１８】
上記の発明によれば、光源は、導光部材の少なくとも一つの入光端面側に設けられていると共に、反射シートは、導光部材から出射された光の拡散を抑制する拡散抑制部材からなっている。
【０１１９】
すなわち、反射シートは、導光部材の裏面に出射された光を、再度、導光部材に戻すために設けられているものである。ここで、この反射シートが光を拡散する部材からなっていると、反射シートでの反射光が導光部材に戻るときに光が拡散され、結果的に、導光部材の表面から出射される光が拡散されたものになる。この結果、導光部材の表面から出射される光はランバート分布に近づくので、照明装置の照射領域が正円になる。
【０１２０】
これに対して、本発明では、反射シートは、導光部材から出射された光の拡散を抑制する拡散抑制部材からなっている。このため、光路変換手段によって導光部材の裏面に出射された光は、反射シートでは乱反射等がなされずに略正反射される。この結果、導光部材の内部へは光源からの入射方向と平行方向に再入射され、光路変換手段によって導光部材の表面から出射される光は光源からの導光部材への入射方向と平行な方向となる。これにより、照明装置の照射領域が光源からの導光部材への入射方向と平行方向に長軸を有する楕円となる。このことは、照明装置の配光を一方向に広げることにより、その方向の照明装置の配設数を減少可能とすることを意味する。
【０１２１】
また、本発明では、照明装置に設けられた反射シートの材質を変えることによって、照明装置の配光を広げており、配光を広げるために新たな部材を追加したものではない。
【０１２２】
したがって、部材数の増加及びそれに伴うコスト増加を生じることなく、照明装置の配光を広げて、少ない照明装置数により照明空間内を均整に照明し得る照明装置を提供することができる。
【０１２３】
本発明における態様２の照明装置１０Ａ・１０Ｂ・１０Ｃは、態様１の照明装置において、前記光源ユニット２０Ａ・２０Ｂは、導光部材２３の表面側に透光パネル（光透過パネル２５）を備えていると共に、上記透光パネル（光透過パネル２５）は、導光部材２３から出射された光の拡散を抑制する拡散抑制部材からなっていることが好ましい。
【０１２４】
すなわち、従来では、導光部材の表面側に設けられた透光パネルに拡散性を持たせて、導光部材の表面側からの出射光が各方向に広がるようにしている。しかしながら、このようにすると、結果的に、照明装置の照射領域がランバート分布による正円になる。このため、照明装置の照射領域についていえば、一方向へ延びるべき照射領域が縮まることになる。
【０１２５】
これに対して、本発明では、透光パネルは、導光部材から出射された光の拡散を抑制する拡散抑制部材からなっている。このため、光路変換手段によって導光部材の表面から出射される光は、透光パネルでの拡散が抑制されるので、透光パネルからの出射光は光源からの導光部材への入射方向と同じ方向となる。これにより、照明装置の照射領域が光源からの導光部材への入射方向と平行方向に長軸を有する楕円となる。このことは、照明装置の配光を一方向に広げることにより、その方向の照明装置の配設数を減少可能とすることを意味する。
【０１２６】
したがって、部材数の増加及びそれに伴うコスト増加を生じることなく、照明装置の配光をさらに広げて、少ない照明装置数により照明空間内を均整に照明し得る照明装置を提供することができる。
【０１２７】
本発明における態様３の照明装置１０Ｂは、態様１又は２の照明装置において、前記光源（ＬＥＤモジュール２２）の光を前記導光部材２３の内部に伝搬する方向が互いに正反対の方向となるように配置された少なくとも一対の光源ユニット２０Ａ・２０Ｂが設けられていることが好ましい。
【０１２８】
これにより、本発明の照明装置では、複数の光源ユニットにて構成されていることになる。そして、本発明では、少なくとも一対の光源ユニットは、光源の光を前記導光部材の内部に伝搬する方向が互いに正反対の方向となるように配置されている。この結果、少なくとも一対の光源ユニットにおける光源の光の進行方向が互いに逆方向となるので、前進方向と後退方向の両方に光の照射領域が延びることになる。
【０１２９】
したがって、部材数の増加及びそれに伴うコスト増加を生じることなく、照明装置の配光を、導光部材の一つの入光端面側に設けられた光源の２倍の照射領域に広げて、少ない照明装置数により照明空間内を均整に照明し得る照明装置を提供することができる。
【０１３０】
本発明における態様４の照明装置１０Ａ・１０Ｂ・１０Ｃは、態様１、２又は３の照明装置において、前記光源（ＬＥＤモジュール２２）は、発光ダイオードからなっていることが好ましい。
【０１３１】
これにより、省エネルギー、高出力及び長寿命の照明装置を提供することができる。
【０１３２】
本発明における態様５の照明システム１は、態様１〜４のいずれか１に記載の照明装置１０Ａ・１０Ｂ・１０Ｃを複数備えた照明システムであって、上記照明装置１０Ａ・１０Ｂ・１０Ｃは、天井の縦横に配列されており、上記照明装置１０Ａ・１０Ｂ・１０Ｃにおける光源ユニット２０Ａ・２０Ｂの導光部材２３の側面に設けられた光源（ＬＥＤモジュール２２）からの光の入射方向と平行な方向に配列された照明装置１０Ａ・１０Ｂ・１０Ｃのピッチｄ１と、上記照明装置１０Ａ・１０Ｂ・１０Ｃにおける光源ユニット２０Ａ・２０Ｂの導光部材２３の側面に設けられた光源（ＬＥＤモジュール２２）からの光の入射方向と垂直な方向に配列された照明装置１０Ａ・１０Ｂ・１０Ｃのピッチｄ２とが、
ｄ１＞ｄ２
の関係にあることを特徴としている。
【０１３３】
上記の発明によれば、照明システムは、本発明の照明装置を複数備えている。そして、これら照明装置は天井の縦横に配列されている。そして、本発明の照明装置では、光源ユニットの導光部材の側面に設けられた光源からの光の入射方向と平行な方向においては、照射方向が広がっている。
【０１３４】
この結果、照明装置における光源ユニットの導光部材の側面に設けられた光源からの光の入射方向と平行な方向に配列された照明装置のピッチｄ１と、上記照明装置における光源ユニットの導光部材の側面に設けられた光源からの光の入射方向と垂直な方向に配列された照明装置のピッチｄ２とを、
ｄ１＞ｄ２
の関係になるようにしても、照明システムの照明空間全体としては、均一な照度分布が得られることになる。
【０１３５】
したがって、部材数の増加及びそれに伴うコスト増加を生じることなく、照明装置の配光を広げて、少ない照明装置数により照明空間内を均整に照明し得る照明装置を備えた照明システムを提供することができる。
【産業上の利用可能性】
【０１３６】
本発明は、配光を拡げることができる照明装置及び照明システムに関するものであり、例えば、システム天井に設置される照明装置及び照明システムに好適に利用することができる。
【符号の説明】
【０１３７】
１        照明システム
１０Ａ      照明装置
１０Ｂ      照明装置
１０Ｃ      照明装置
１１Ａ      本体フレーム
１１Ｂ      本体フレーム
１１Ｃ      本体フレーム
１１ａ      帯状フレーム
１１ｂ      帯状フレーム
１１ｃ      開口
１１ｄ      本体ベース
１２        収容部
１２ａ      天板
１２ｂ      側板
１２ｃ      開口部
１２ｄ      隙間
１２ｅ      嵌挿部
１２ｆ      嵌挿部
２０Ａ      光源ユニット
２０Ｂ      光源ユニット
２１        ＬＥＤベース
２２        ＬＥＤモジュール
２３        導光部材
２４        反射シート
２５        光透過パネル（透光パネル）
【図１】
2015026534.tif 000003
【図２】
2015026534.tif 000004
【図３】
2015026534.tif 000005
【図４】
2015026534.tif 000006
【図５】
2015026534.tif 000007
【図６】
2015026534.tif 000008
【図７】
2015026534.tif 000009
【図８】
2015026534.tif 000010
【図９】
2015026534.tif 000011
【図１０】
2015026534.tif 000012
【図１１】
2015026534.tif 000013
【図１２】
2015026534.tif 000014
【図１３】
2015026534.tif 000015
【図１４】
2015026534.tif 000016
【図１５】
2015026534.tif 000017